(57)【要約】【課題】狭い空間でもスパナのヘッド部を抜くことなく連続的に円滑な作業を可能とするスパナを提供すること。【解決手段】スパナ１００は、対象体を緩め又は締め付けるヘッド部１１０と、楔状で、ヘッド部１１０の内側に一対がそれぞれ対称になって位置し、ヘッド部１１０と対象体との間で外部に移動可能であって往復摺動可能に結合されたスライド片１３０と、ヘッド部１１０の内側底面と、それと対向するスライド片１３０の一側との間に介在され、スライド片１３０をヘッド部１１０の開口方向の反対方向に弾性バイアスさせるべくスライド片１３０を弾性支持するコイルばね１４０とを含む。【選択図】図３
2006175581.tif 000002
【特許請求の範囲】
【請求項１】
対象体を緩めまたは締め付けるヘッド部と、
楔状で、前記ヘッド部の内側に一対がそれぞれ対称になって位置し、前記ヘッド部と対象体との間で外部に移動できるように往復摺動可能に結合されたスライド片と、
前記ヘッド部の内側底面と、該内側底面と対向する前記スライド片の一側との間に介在され、前記スライド片を前記ヘッド部の開口方向の反対方向に弾性バイアスさせるように前記スライド片を弾性支持するコイルばねとを含むスパナ。
【請求項２】
対象体を緩めまたは締め付けるヘッド部と、
楔状で、前記ヘッド部の内側のうち、使用者が右手で取った時、使用者の隣接した方の前記ヘッド部に、前記ヘッド部と対象体との間で外部に移動できるように往復摺動可能に結合された一つのスライド片と、
前記ヘッド部の内側底面と、該内側底面と対向する前記スライド片の一側との間に介在され、前記スライド片を前記ヘッド部の開口方向の反対方向に弾性バイアスさせるように前記スライド片を弾性支持するコイルばねとを含むスパナ。
【請求項３】
前記コイルばねの両端部には、前記ヘッド部の内側底面と前記スライド片の一側とに固定されるように固定部材がそれぞれ結合されたことを特徴とする請求項１または２に記載のスパナ。
【請求項４】
前記対象体と噛み合う前記スライド片の一面には、摩擦力を提供することのできる突起が備えられていることを特徴とする請求項１または２に記載のスパナ。
【請求項５】
前記ヘッド部の内側底面には、弧状の溝が形成されていることを特徴とする請求項１または２に記載のスパナ。
【発明の詳細な説明】
【技術分野】
【０００１】
本発明は、作業工具に関するもので、より詳細には、ボルトやナットを締め付けまたは緩める場合に用いられるスパナに関するものである。
【背景技術】
【０００２】
一般的に、スパナは、ボルトやナットなどのフィッティング(Fitting)類を締め付けまたは緩めるのに用いられる工具であり、その大きさ及び形態によって多様に仕分けられる。
【０００３】
このようなボルトやナットを締め付けまたは緩める場合に用いられるスパナとして、従来は、図１及び図２に示すような構造が一般的に採用されてきた。
【０００４】
図１を参照すれば、スパナ１は、ボルト４のヘッドに嵌合される部分であるヘッド部２が一側方向に開口されており、該当ヘッド部と延長されたハンドル部３とを一側方向または他側方向に所定角度だけ回転させることで、ボルト４を締め付けまたは緩めることになる。
【０００５】
ところが、このような従来のスパナ１は、ボルト４のヘッドにスパナ１のヘッド部２を嵌合し、ハンドル部３を用いて所定角度だけ回転して作業を行った後、ボルト４からヘッド部を抜き、スパナ１のヘッド部２を再びボルト４に嵌合して、繰り返し作業をしなければならないという不都合を持っている。
【０００６】
そして、図２に示すように、スパナ１のヘッド部２をボルト４のヘッドに再び嵌合する際に、スパナ１のヘッド部２がボルト４に嵌合されるためには、１２０゜位のハンドル部３が回転可能な空間が必要であり、狭小な空間では作業が難しいという不都合を持っている。
【０００７】
また、例えば、特許文献１には可動顎を移動させるための外力を加えるレバーが必要なく、ナットの把持を容易に行うことのできるラッチェトスパナが、特許文献２には、断面多角形状のボルト頭、ナット等の被回転体に側方から嵌合係合させることができ、その係合状態のまま往復運動させて被回転体を締めつけ又は締めることができるスパナが開示されている。
【０００８】
【特許文献１】特開２０００−３３４６６８号公報
【特許文献２】特開２００４−０３４２７１号公報
【発明の開示】
【発明が解決しようとする課題】
【０００９】
本発明は、前記の問題点を解決するために創出されたもので、狭い空間でもスパナのヘッド部を抜くことなく連続的に円滑な作業ができるように、その構造が改善されたスパナを提供することをその目的とする。
【００１０】
本発明の他の目的及び長所は、下記に説明されるはずであり、本発明の実施形態から分かるであろう。また、本発明の目的及び長所は、特許請求の範囲に示した手段及び組合せによって実現できる。
【課題を解決するための手段】
【００１１】
前記目的を達成するための本発明の一側面によるスパナは、対象体を緩めまたは締め付けるヘッド部と、楔状で、前記ヘッド部の内側に一対がそれぞれ対称になって位置し、前記ヘッド部と対象体との間で外部に移動できるように往復摺動可能に結合されたスライド片と、前記ヘッド部の内側底面と、該内側底面と対向する前記スライド片の一側との間に介在され、前記スライド片を前記ヘッド部の開口方向の反対方向に弾性バイアスさせるように前記スライド片を弾性支持するコイルばねとを含む。
【００１２】
また、本発明の更に他の側面によるスパナは、対象体を緩めまたは締め付けるヘッド部と、楔状で、前記ヘッド部の内側のうち、使用者が右手で取った時、使用者の隣接した方の前記ヘッド部に、前記ヘッド部と対象体との間で外部に移動できるように往復摺動可能に結合された一つのスライド片と、前記ヘッド部の内側底面と、該内側底面と対向する前記スライド片の一側との間に介在され、前記スライド片を前記ヘッド部の開口方向の反対方向に弾性バイアスさせるように前記スライド片を弾性支持するコイルばねとを含む。
【００１３】
ここで、前記コイルばねの両端部には、前記ヘッド部の内側底面と前記スライド片の一側とに固定されるように固定部材がそれぞれ結合されたことが望ましい。
【００１４】
しかも、前記対象体と噛み合う前記スライド片の一面には、摩擦力を提供することのできる突起が備えられることができる。
【００１５】
また、前記ヘッド部の内側底面には、弧状の溝が形成されることができる。
【００１６】
以下、添付された図面を参照して、本発明の実施形態を詳しく説明することにする。
【００１７】
これに先立って、本明細書及び請求範囲に使われた用語や単語は、通常的あるいは辞書的な意味に限定して解釈されてはならず、発明者は、自身の発明を一番最善の方法で説明するために用語の概念を適切に定義できるという原則に即して、本発明の技術的思想に合致する意味と概念として解釈すべきである。
【００１８】
したがって、本明細書に記載されている実施形態と図面に示されている構成とは、本発明の一番望ましい実施形態に過ぎないだけであり、本発明の技術的思想の全てを代弁するものではないので、本出願の時点において、これらを対処できる多様な均等物と変更例とがあり得ることを理解すべきである。
【発明の効果】
【００１９】
本発明のスパナは、次のような効果を奏する。
【００２０】
第一、ボルトやナットのヘッドを締め付けまたは緩める際にスパナのヘッド部を抜くことなく、再び巻き戻して連続的に作業することができるので、作業を迅速かつ能率的に行うことができる。
【００２１】
第二、３０゜位の狭小な空間でも作業が可能であるので、作業能率が優れており、コイルばねと繋がれたスライド片が弾力的に摺動するので、腐食が激しいボルトと、六角形、八角形及び円形タイプのボルトとも着脱を円滑にすることができる。
【発明を実施するための最良の形態】
【００２２】
図３は、本発明の一実施形態によるスパナの斜視図である。
【００２３】
図面を参照すれば、本発明の一実施形態によるスパナ１００は、ハンドル部１２０と、前記ハンドル部１２０の一端部に開口部が形成され、対象体を緩めまたは締め付けることのできるヘッド部１１０とを備える。ここで、前記ヘッド部１１０は、対象体であるボルト４に嵌合可能にＡ方向に開口され、その形状が略‘Ｕ’字型になっている。したがって、使用者は、前記スパナ１００のヘッド部１１０と延長されたハンドル部１２０とを一側方向または他側方向に所定角度だけ回転させて、ボルト４を緩めまたは締め付ける。
【００２４】
ここで、前記ヘッド部１１０の内側には、スライド溝１３５を介して前記ヘッド部１１０とボルト４との間で往復摺動可能に第１のスライド片１３０ａと第２のスライド片１３０ｂとがそれぞれ設けられている。この時、前記それぞれのスライド片１３０ａ、１３０ｂは、楔状で、ボルト４を中心として相互に対向して対称になるように配置されている。
【００２５】
また、前記第１及び第２のスライド片１３０ａ、１３０ｂの一面には、摩擦力を増大させて、対象体を効果的に締め付けまたは緩めることができるように突起１３６が形成されている。
【００２６】
そして、前記第１及び第２のスライド片１３０ａ、１３０ｂの一側部には、前記第１及び第２のスライド片１３０ａ、１３０ｂをヘッド部１１０の開口方向であるＡ方向に弾性バイアスするようにし、ボルト４との密着力を上げるために、コイルばね１４０が備えられている。ここで、前記コイルばね１４０の代わりに、板ばねを使用してもよい。
【００２７】
加えて、前記コイルばね１４０の一端部には、前記ヘッド部１１０と固定されるように固定部材１３１ｂが結合されることができ、他端部には、前記それぞれのスライド片１３０ａ、１３０ｂと固定されるように固定部材１３１ａが結合されることができる。
【００２８】
以上のような構造のスパナの作動を、図４乃至図６に示した。
【００２９】
図面を参照すれば、まず、図４は、ボルト４を締め付ける前を示した図であって、ボルト４を第１のスライド片１３０ａと第２のスライド片１３０ｂとが具備されたスパナ１００のヘッド部１１０の内側に挟んだ際の図である。
【００３０】
図５は、ヘッド部１１０の内側にボルト４を挟んだ後、ハンドル部１２０を図面の時計方向に一定角度だけ回転させてボルト４を締め付ける過程を示した図である。
【００３１】
図面を参照すれば、ハンドル部１２０を時計方向に一定角度だけ回転させると、ボルト４とヘッド部１１０との間には一定の間隙があるため、ボルト４のエッジは第１及び第２のスライド片１３０ａ、１３０ｂにそれぞれ線接触するようになる。
【００３２】
この時、第１のスライド片１３０ａは、ハンドル部１２０の回転力の反作用でヘッド部１１０の開口方向に摺動しようとする。しかしながら、第１のスライド片１３０ａは、開口方向に更に鋭角である楔状になっているため、開口方向には第１のスライド片１３０ａの摺動が遮断される。
【００３３】
そして、これと同時に、第２のスライド片１３０ｂは、ヘッド部１１０とは滑り接触をしており、ボルト４の回転力によって開口方向に摺動する。
【００３４】
図６は、スパナを、図５のボルトの締め付け作業後、ハンドル部を反時計方向に回転させて巻き戻しをする過程を示した図である。
【００３５】
図面を参照すれば、使用者がハンドル部１２０を用いてスパナ１００を反時計方向に回転させて巻き戻しをすれば、第２のスライド片１３０ｂは、ボルト４のエッジとの接触が解除される瞬間、コイルばね１４０の力によって反Ａ方向に復元された後、ボルト４の次のエッジと接触すると、ヘッド部１１０の回転力によって図面のように再び開口方向であるＡ方向に摺動移動する。
【００３６】
すなわち、図６のスパナ１００を巻き戻す過程で開口方向に摺動された第２のスライド片１３０ｂは、コイルばね１４０の復元力によってヘッド部１１０の開口方向の反対方向に再び戻ってきた後、次のエッジと噛み合いながら再び開口方向に押し出され、この状態で、使用者がスパナ１００を時計方向に回すと、図５でのように再び締め付ける作業ができるようになる。
【００３７】
図７は、 対象体が円状のボルトである場合に、本発明のスパナを適用して使用した場合を示した図である。
【００３８】
図面を参照すれば、スパナ１００のヘッド部１１０の内側底面には、弧状のねじ溝１１１が形成されている。ここで、使用者は、円状のボルト５の外周面を前記ねじ溝１１１に合わせ、その後、前記第２のスライド片１３０ｂを開口方向に抜いた後、ボルト５の外周面に前記第２のスライド片１３０ｂの一側を接触させた後、前記スパナ１００を回転させて締め付ける作業をすることができる。
【００３９】
図８は、図３に示されたスパナに突起がない場合を示す斜視図であって、使用者は、第１のスライド片１３２ａと第２のスライド片１３２ｂとの対象体と対面する面の突起１３６を取り除いたスパナ１００ａを使用することができる。
【００４０】
ここで、本発明の一実施形態によるスパナ１００は、その対象体が、腐食が激しいボルトと、六角、八角及び円形に近いボルトである場合に効果的に作業可能であり、スパナの他にも、モンキースパナ、パイプレンチなどの各種ボルトの締め付けと緩めのための工具に適用可能である。
【００４１】
以上のように構成され作動されるスパナ１００は、ヘッド部１１０に第１のスライド片１３０ａと第２のスライド片１３０ｂとが備えられており、ボルトを締め付けた後、前記スパナ１００のヘッド部１１０を抜いて再び嵌合する必要がなく、巻き戻して連続的に作業することができるため、作業の能率を向上することができる。
【００４２】
また、本発明の一実施形態によるスパナ１００は、一般的なスパナにおいて、作業時にヘッド部を抜いてボルトやナットのヘッドに再び嵌合するために、ボルトのヘッドとスパナのヘッド部との接触のために必要な、１２０゜位のハンドル部が回転可能な空間が不要であるので、約３０゜位の狭小な空間でも作業が可能である。
【００４３】
図９は、本発明の他の実施形態によるスパナの斜視図である。
【００４４】
図面を参照すれば、本発明の他の実施形態によるスパナ２００は、ハンドル部２２０と、前記ハンドル部２２０の一端部に開口部が形成され、対象体を緩めまたは締め付けることのできるヘッド部２１０とを備える。
【００４５】
ここで、前記ヘッド部２１０は、対象体であるボルト４(図１を参照)が挟まれるように開口方向であるＡ方向に開口され、その形状が略‘Ｕ’字型になっている。
【００４６】
使用者は、前記ヘッド部２１０と延長されたハンドル部２２０とを一側方向または他側方向に所定角度だけ回転させて、ボルトを緩めまたは締め付ける。
【００４７】
そして、前記ヘッド部２１０の内側のうち、使用者が右手で取った時、使用者の隣接した方、すなわち、図１１に示すように開口方向Ａに対して使用者がスパナ２００を右側に回動させた際に使用者の隣接したＢ方向（図９を参照）には、前記ヘッド部２１０と対象体との間で往復摺動可能なスライド片２３０が備えられている。
【００４８】
ここで、前記スライド片２３０は、前記ヘッド部２１０から外部に移動できるように、前記ヘッド部２１０のスライド溝２３５を介して摺動結合されることができる。
【００４９】
しかも、前記スライド片２３０には、前記ヘッド部２１０の開口方向Ａの反対方向に弾性バイアスさせるコイルばね２４０を更に備えることができ、また、前記コイルばね２４０は、該当コイルばねの他にも、板ばねを使用してもよい。
【００５０】
前記コイルばね２４０について具体的に見てみると、前記コイルばね２４０は、前記スライド片２３０の一側部に備えられ、前記スライド片２３０をヘッド部２１０の開口方向であるＡ方向に弾性バイアスするようにし、対象体の密着力を上げると共に、元の位置に戻るための復元力を提供できるようにする。
【００５１】
そして、前記コイルばね２４０の一端部には、前記ヘッド部２１０と固定されるように固定部材２３１ｂが結合されることができ、他端部には、前記スライド片２３０と固定されるように固定部材２３１ａが結合されることができる。
【００５２】
一方、前記スライド片２３０は、楔状であり、前記スライド片２３０において対象体と噛み合う一面には、摩擦力を増大させて対象体を効果的に締め付けまたは緩めることができるように突起２３６を備えることが望ましい。
【００５３】
以上のような構造となったスパナの作動を、図１０乃至図１２に示した。
【００５４】
まず、図１０を参照すれば、図１０は、使用者がハンドル部２２０を用いて対象体であるボルト４を締め付ける前を示した図であって、スライド片２３０とスパナ２００のヘッド部２１０との内側には、ボルト４が挿入されている。
【００５５】
図１１は、使用者が前記ヘッド部２１０の内側にボルト４を挿入した図１０の状態で、ハンドル部２２０を図面に示した矢印方向に一定角度だけ回転させて、ボルト４を締め付ける過程を示した図である。
【００５６】
図面を参照すれば、使用者がハンドル部２２０を時計方向に一定角度だけ回転させると、ボルト４のエッジは、ボルト４とヘッド部２１０との間には一定の間隙があるため、スライド片２３０とヘッド部２１０とにそれぞれ線接触するようになる。
【００５７】
この時、前記スライド片２３０は、ハンドル部２２０の回転力の反作用でヘッド部２１０の開口方向に摺動しようとする。これは、スライド片２３０がヘッド部２１０とは滑り接触をしており、ボルト４の回転力のためである。
【００５８】
図１２は、スパナを、図１１のボルトの締め付け作業後、ハンドル部を反時計方向に回転させて巻き戻しをする過程を示した図である。
【００５９】
図面を参照すれば、使用者がハンドル部２２０を用いてスパナ２００を反時計方向に回転させて巻き戻しをすれば、前記スライド片２３０は、ボルト４のエッジとの接触が解除される瞬間、コイルばね２４０の力によって反Ａ方向に復元された後、前記ボルト４の次のエッジと接触すると、前記ヘッド部２１０の回転力によって図面のように再び開口方向であるＡ方向に摺動移動する。
【００６０】
すなわち、図１２のスパナ２００を巻き戻す過程で開口方向に摺動されたスライド片２３０は、コイルばね２４０の復元力によってヘッド部２１０の開口方向Ａの反対方向に再び戻ってきた後、次のエッジと噛み合いながら再び開口方向に押し出され、この状態で、使用者は、スパナ２００を時計方向に回し、図１１でのような状態になって、再び締め付ける作業ができるようになる。
【００６１】
図１３は、対象体が円状のボルトである場合に、本発明のスパナを適用して使用した場合を示した図である。
【００６２】
図面を参照すれば、スパナ２００のヘッド部２１０の内側底面には、弧状のねじ溝２１１が形成されている。ここで、使用者は、円状のボルト５の外周面を前記ねじ溝２１１に合わせ、その後、前記スライド片２３０を開口方向に抜いた後、ボルト５の外周面に前記スライド片２３０の一側を接触させた後、前記スパナ２００を回転させて締め付ける作業をすることができる。
【００６３】
図１４は、図９に示されたスパナに突起がない場合を示した斜視図であって、使用者は、スライド片２３０の対象体と対面する面の突起２３６を取り除いたスパナ２００を使用することができる。
【００６４】
ここで、使用者は、本発明の他の実施形態であるスパナ２００を使って、その対象体が、腐食が激しいボルトと、六角、八角及び円形に近いボルトである場合に効果的に作業可能であり、前記スパナ２００は、スパナの他にも、モンキースパナ、パイプレンチなどの各種ボルトの締め付けと緩めのための工具に適用可能である。
【００６５】
以上のように構成され作動されるスパナ２００は、ヘッド部２１０にスライド片２３０が備えられており、ボルトを締め付けた後、前記スパナ２００のヘッド部２１０を抜いて再び嵌合する必要がなく、巻き戻して連続的に作業することができるため、作業の能率を向上することができる。
【００６６】
また、本発明の他の実施形態によるスパナ２００は、一般的なスパナのヘッド部を抜いてボルトやナットのヘッドに再び嵌合するために、ボルトのヘッドとスパナのヘッド部との接触のために必要な、１２０゜位のハンドル部が回転可能な空間が不要であるので、３０゜位の空間でも作業が可能である。
【産業上の利用可能性】
【００６７】
上述したように、本発明のスパナは、ボルトやナットの対象体を締め付けまたは緩めることのできる作業工具などに有用に利用できる。本発明は、例えば、限定された実施形態と図面とによって説明されたが、本発明はこれによって限定されるものではなく、本発明が属する技術分野において通常の知識を有する者によって、本発明の技術思想と本願に記載の特許請求の範囲の均等範囲内において多様な修正及び変形が可能なことはいうまでもない。
【図面の簡単な説明】
【００６８】
【図１】従来のスパナを示す図である。
【図２】従来のスパナを示す図である。
【図３】本発明の一実施形態によるスパナを示す斜視図である。
【図４】図３に示されたスパナの作動状態を示す図である。
【図５】図３に示されたスパナの作動状態を示す図である。
【図６】図３に示されたスパナの作動状態を示す図である。
【図７】図３に示されたスパナを円形のボルトに適用した時を示す図である。
【図８】図３に示されたスパナに突起がない場合を示す斜視図である。
【図９】本発明の他の実施形態によるスパナを示す斜視図である。
【図１０】図９に示されたスパナの作動状態を示す図である。
【図１１】図９に示されたスパナの作動状態を示す図である。
【図１２】図９に示されたスパナの作動状態を示す図である。
【図１３】図９に示されたスパナを円形のボルトに適用した時を示す図である。
【図１４】図９に示されたスパナに突起がない場合を示す斜視図である。
【符号の説明】
【００６９】
１００  スパナ、１１０  ヘッド部、１２０  ハンドル部、１３０ａ  第１のスライド片、１３０ｂ  第２のスライド片、１３１ａ、１３１ｂ 固定部材、１３５  スライド溝、１３６  突起、１４０  コイルばね。
【図１】
2006175581.tif 000003
【図２】
2006175581.tif 000004
【図３】
2006175581.tif 000005
【図４】
2006175581.tif 000006
【図５】
2006175581.tif 000007
【図６】
2006175581.tif 000008
【図７】
2006175581.tif 000009
【図８】
2006175581.tif 000010
【図９】
2006175581.tif 000011
【図１０】
2006175581.tif 000012
【図１１】
2006175581.tif 000013
【図１２】
2006175581.tif 000014
【図１３】
2006175581.tif 000015
【図１４】
2006175581.tif 000016